(57)【要約】【課題】従来の掬い面に多数の微細突起を設けご飯の着かなくした杓文字の構成を転用したスコップは、記載された効果が発揮できず土砂が付着する上に、掬い取った土砂を投擲する際、前記多数の突起が抵抗体となり投擲の障害となっていた。更に、この多数の突起があるために、洗浄が容易でなかった。本願のスコップは、スコップを土砂に刺し込む際刺し込む方向と交叉する帯状の交叉面を設けることにより付着力を低減したスコップを提供することを目的としている。【解決手段】本発明のスコップは、掬い部の掬い面に設けられ、掬い部の裏面方向に折り曲げた１以上の第１の曲折面４と、第１の曲折面の先端側に連設され、掬い部の表面方向に折り曲げた１以上の第２の曲折面５とを有することを特徴とする。【選択図】  図１
2005016189.tif 000002
【特許請求の範囲】
【請求項１】
掬い部を有し、掬い部の一端に柄取付け部を設けたスコップであって、
該掬い部の掬い面に設けられ、掬い部の裏面方向に折り曲げた１以上の第１の曲折面と、
該第１の曲折面の先端側に連設され、掬い部の表面方向に折り曲げた１以上の第２の曲折面と、
を有することを特徴とするスコップ。
【請求項２】
掬い部を有し、掬い部の一端に柄取付け部を設けたスコップであって、
該掬い部の最先端に設けられ、掬い部の裏面方向に傾斜した傾斜面を有することを特徴とするスコップ。
【請求項３】
前記第１及び第２の曲折面並びに傾斜面を有することを特徴とする請求項１又は２記載のスコップ。
【請求項４】
前記第１及び第２の曲折面並びに傾斜面が、掬い部の両翼方向に延伸していることを特徴とする請求項１又は２記載のスコップ。
【請求項５】
前記柄取付け部に柄が取付けられていることを特徴とする請求項１から３のいずれかに記載のスコップ。
【発明の詳細な説明】
【０００１】
【発明の属する技術分野】
本発明は、物を掬うスコップ及び柄付スコップに関するものである。
【０００２】
【従来の技術】
従来のスコップには、掬い部の強度を増すため掬い部の両翼を折り曲げたり湾曲させたり、両翼と平行な突条を設けたものがあった。又、掬い取った物品が掬い部に付着しないように両翼と平行な複数の突条を設けたものがあった。
【０００３】
更に、ご飯など粘着性食品の付着防止を狙った特開２００１―２６９２７４号公報の「杓子その他の調理用具」の構成をそっくりスコップに転用した特許文献１（実用新案登録第３０７０２１７号公報）があった。このスコップは、合成樹脂製で、射出成形時に掬い部の表面に多数の微細な凹凸を設けたものであり、掬い取った物品と掬い部の接着面を少なくして接着力を低減するものである。
【０００４】
【特許文献１】実用新案登録第３０７０２１７号公報
【０００５】
【発明が解決しようとする課題】
特許文献１のスコップは、掬い部に多数の微細突起があるため、掬い取った物品が多数の微細な突起の上に載り、掬い部と掬い取った物品との接触面積が少なく、付着力が少ないように思われる。しかしながら、この掬い取った物品が物品自身の自重で多数の突起間の間隙に入り込むため、掬い部から物品を放出する時の抵抗力が大きくなる。更に、２度目以降に掬い取った物品が、掬い部の残滓を突起間の間隙に押し込むため、本来の目的を達成できなかった。
【０００６】
本発明のスコップは、物品を掬い取り或は放出するときに掬い部上を物品が摺動する時の抵抗と、物品の自重による押圧力を軽減させる構成により物品が付着せず且つ使用後の洗浄が容易なスコップ及び柄付スコップを提供することを目的としている。
【０００７】
【課題を解決するための手段】
本発明のスコップは、掬い部の一端に柄取付け部を設けたスコップであって、該掬い部の掬い面に設けられ、掬い部の裏面方向に折り曲げた１以上の第１の曲折面と、該第１の曲折面の先端側に連設され、掬い部の表面方向に折り曲げた１以上の第２の曲折面と、を有することを特徴とする。前記第１及び第２の曲折面の代わりに、掬い部の最先端に掬い部の裏面方向に傾斜した傾斜面を設けたり、前記第１及び第２の曲折面並びに傾斜面を設けたり、前記第１及び第２の曲折面並びに傾斜面を掬い部の両翼方向に延伸したり、前記柄取付け部に柄を取付けた柄付スコップとすることができる。
【０００８】
【発明の実施の形態】
以下、本願発明の実施例を図面に従って説明する。図１、図２に示すように、スコップの掬い部１の一端に柄取付け部２を設け、この柄取付け部２に柄３を取付ける。掬い部１の掬い面の先端部近傍（央部に設けても良い）に第１の曲折面４を設ける。この第１の曲折面４は、掬い部１の裏面に向って折り曲げられ、柄取付け部２側には、掬い面が滑らかな面として連続している。この第１の曲折面４は、傾斜面或は湾曲した弧状面若しくは階段状の段差であり、掬い部１の両翼方向に延伸された帯状となっている。
【０００９】
第１の曲折面４の先端側には、第２の曲折面５が連設され、この第２の曲折面５は、第１の曲折面４から見ると掬い部１の表面側に折り曲げられた面であり、第２の曲折面５と第１の曲折面４も滑らかに連続している。又、第２の曲折面５は、傾斜面或は湾曲した弧状面であり、掬い部１の両翼方向に延伸された帯状となっている。第１の曲折面４の高低差即ち掬い部１と第２の曲折面５の高低差は２〜５ｍｍ程度で良い。
【００１０】
前記第１及び第２の曲折面４，５は、掬い部１の両翼方向に延伸（或は断続的に延伸）する帯状であり、第１の曲折面４の央部が杓文字の先端方向に向って突出した弧状となっている。この突出方向は、後述するように柄取付け部２方向に突出させたり、杓文字の軸線と直交或は斜交させたりできる。
【００１１】
掬い部１の最先端は、掬い部１の表面から裏面に向って傾斜した傾斜面６となっている。この傾斜面６は、掬い部１を物品中に刺し込むときに抵抗の少ない傾斜面或は湾曲した傾斜面である。この傾斜面６と前記第１の曲折面４の間は、第２の曲折面５であり、滑らかな面として連続している。
【００１２】
図３に示すように、上記構成を備えたスコップは、傾斜面６から第２の曲折面５、第１の曲折面４へ、更に掬い部１へと物品内に刺し込んだとき、物品が矢印方向即ち傾斜面６から掬い部１の表面に添って摺動する。この時、傾斜面６から掬い部１の第２の曲折面５を経て第１の曲折面４に添って摺動した物品は、第２の曲折面５と掬い部１の先端部Ｋで浮上して空隙をつくるかソフトに付着する。
【００１３】
図４に示したように、物品Ｘの表層部Ｙに第１及び第２の曲折部４，５並びに傾斜面６を有するスコップを先端から刺し込んで掬うと、表層Ｙ１からＹ２，Ｙ３と順次スコップの掬い面上に移動する。掬い部１上に物品の物品の表層Ｙ３が移動した状態で重力により表層Ｙ１，Ｙ２，Ｙ３間に入る亀裂を説明する。第２の曲折面５と第１の曲折面４の境界点Ｏでは、受ける重力により第２の曲折面５と第１の曲折面４の境界点Ｏで表層Ｙ２とＹ３の境界の下側に亀裂が入る。第１曲折面４と掬い部１の境界点Ｐでは、受ける重力により第１の曲折面４と掬い部１の境界点Ｏで表層Ｙ１とＹ２の境界で上側に亀裂が入る。上記理由により物品がバラバラとなり付着力が低くなる。従って、第１と第２の曲折面４，５と数多く設けるほど物品Ｘがスコップに着き難くなる。
【００１４】
上記構成のスコップを物品Ｘ中に差込み引抜く時や掬った物品を放出するとき、抵抗となる突出物がないから引抜き易く、放出し易い。更に、突出物がなく、スコップの表面が平坦であり簡単に洗浄できる。
【００１５】
本願のスコップは、図１，２のような掬い部１が湾曲したスコップでも、図８から図１０のような掬い部１が平らなスコップでも良い。又、図５から図７に示したように、第１の曲折面４と第２の曲折面５を複数組設けることにより、物品の付着力を低下させることができる。
【００１６】
図８から図１０により第１の曲折面１１の形状と掬い取った物品の掬い部１上への移動方向並びに同物品の掬い部１からの放出方向を掬い部１０が平坦な角スコップにより説明する。図８に示すように、央部がスコップの先端方向に突出した第１の曲折面１１を有するスコップの場合は、掬い部１０を物品中に刺し込むと、掬い取った物品は、掬い部１０の中央部に集まる。このスコップの柄３を持って掬い部１０を煽るようにして物品を放出すると、物品は拡散しながら放出される。図９に示すように、第１の曲折面１２がスコップの柄３方向に突出したスコップの場合は、掬い取られた物品が掬い部１０内で拡散され、放出するときは１点に集束するように放出される。図１０に示すように、第１の曲折面１３が物品への差込み方向と直交する場合は、掬い部１０を物品に刺し込む方向と逆方向に平行に掬い取られ、放出するときは、スコップの先端方向に平行に放出される。従って、スコップの用途や使用目的に合わせ第１と第２の曲折面１１，１２，１３を変更するとスコップを使った作業が軽減され効率が上がる。
【００１７】
【発明の効果】
本願発明のスコップ、柄付スコップは、掬い部に第１の曲折面があるから、スコップを物品中に刺し込むと物品が第１の曲折面に添って移動し、連設された掬い部の先端では浮き上がるようになる。この掬い部上に移動した物品と掬い部の間に僅かな間隙が生じ或は付着力が低減し、結果として物品はスコップの掬い部に付着しないか付着し難い。又、最先端に傾斜面があるから、第１の曲折面の場合と同様に、スコップを物品中に刺し込むと物品が傾斜面に添って移動し、連設された第２の曲折面の先端では浮き上がるようになる。この第２の曲折面上に移動した物品と第２の曲折面の間に僅かな間隙が生じ或は付着力が低減し、結果として物品はスコップの第２の曲折面に付着し難い。
【００１８】
前記スコップで物品の表層を掬ったとき、第１と第２の曲折面の境界点で掬い部に掬われた物品の表層の下部に亀裂が入り、第１の曲折面と掬い面の境界点では、同物品の表層の上部に亀裂が入り、物品がバラバラになるから、物品の掬い部への付着力が低減し、付着し難い。以上の２つの理由が相乗効果をもたらし、本発明のスコップには、物品は大変付着し難い。
【００１９】
前記連設された掬い面、第１及び第２の曲折面、傾斜面には、凹凸特に凹部がないから極めて簡単且つ清潔に洗浄できる。
【図面の簡単な説明】
【図１】本発明に係るスコップの平面図である。
【図２】図１のＡ―Ａ線断面図である。
【図３】図２の先端部を拡大した断面図である。
【図４】本発明に係るスコップの使用状態を説明する縦断面図である。
【図５】本発明に係るスコップの他の実施例を示す平面図である。
【図６】図５のＢ―Ｂ線断面図である。
【図７】図５の先端部を拡大した断面図である。
【図８】本発明の他の実施例で、央部がスコップの先端方向に突出した第１の曲折面を有する角スコップの平面図である。
【図９】第１の曲折面がスコップの柄方向に突出した角スコップの平面図である。
【図１０】第１の曲折面が物品への差込み方向と直交する角スコップの平面図である。
【符号の説明】
１          掬い部
２          柄取付け部
３          柄
４          第１の曲折面
５          第２の曲折面
６          傾斜面
１０          掬い部
１１          第１の曲折面
１２          第１の曲折面
１３          第１の曲折面
Ｏ            境界点
Ｐ            境界点
Ｘ            物品
Ｙ            表層部
Ｙ１，Ｙ２，Ｙ３          表層
【図１】
2005016189.tif 000003
【図２】
2005016189.tif 000004
【図３】
2005016189.tif 000005
【図４】
2005016189.tif 000006
【図５】
2005016189.tif 000007
【図６】
2005016189.tif 000008
【図７】
2005016189.tif 000009
【図８】
2005016189.tif 000010
【図９】
2005016189.tif 000011
【図１０】
2005016189.tif 000012